(57)【要約】【課題】顔を継続して水湯に浸すことができる、呼吸補助具付き洗面器を提供する。【解決手段】呼吸を確保するための孔２を底部に備える洗面器１に水湯を張り、顔を水湯に浸けた際、洗面器１内部に突出して前記孔に取り付けられた管により呼吸をする。【選択図】図１
2017086846.tif 000002
【特許請求の範囲】
【請求項１】
盆状に形成された本体と、前記本体の底面又は側面に貫通形成された孔と、前記本体の内側に向かって突出して前記孔に取り付けられた管とを備えた呼吸補助具付き洗面器。
【請求項２】
前記管の少なくとも一部が、伸縮可能な形状であること特徴とする請求項１記載の呼吸補助具付き洗面器。
【請求項３】
前記洗面器に、樹脂が使用されていることを特徴とする請求項２記載の呼吸補助具付き洗面器。
【請求項４】
前記管に、弾性体が使用されていることを特徴とする請求項３記載の呼吸補助具付き洗面器。
【請求項５】
前記管と孔の連結部は、水密となるようシーリングされていることを特徴とする請求項４記載の呼吸補助具付き洗面器。
【発明の詳細な説明】
【技術分野】
【０００１】  本発明は、洗顔用の洗面器に関する。
【背景技術】
【０００２】  従来喉頭の当たる洗面器の縁に凹みを作り、凹みに顎を当てて呼吸補助具を口にくわえた状態で顔を洗面器内の水に浸し洗顔を行う洗面器が公知である（特許文献１）。
【先行技術文献】
【特許文献】
【０００３】
【特許文献１】特開２０１４−２３６９７５号公報
【発明の概要】
【発明が解決しようとする課題】
【０００４】  しかしながら上記従来の方法では、手ですくう場合、顔に水湯が触れている時間がごく短時間のため洗顔の効果に疑問が残る。顔を水湯に浸す場合、呼吸ができず苦しくなり継続して顔を水湯に浸すことができない。別途用意した呼吸補助具を使用する場合、水が呼吸補助具内に入れば排水が容易ではなく呼吸が困難となりストレスになる。呼吸補助具を装着して洗面器に顔を入れるため呼吸補助具の取り回しが煩わしくなる。また必要以上に洗面器が大きくなる恐れがある。さらに呼吸補助具のみを用意することは困難である。
【課題を解決するための手段】
【０００５】  盆状に形成された本体と、前記本体の底面または側面に貫通形成された孔と、前記本体の内側に向かって突出して前記孔に取り付けられた管とを備えた呼吸補助具付き洗面器を提供する。これにより洗面器に呼吸補助具が付いているため、当該呼吸補助具を使い継続的に水湯に顔を浸すことができる。孔に取り付けられた管が本体内部に向かって突出しているため、水が管内に浸入しても、管を伝って管外に自動で排出される。洗面器と呼吸補助具が一体となっているため、呼吸補助具を取り回す煩わしさがなくなり、また洗面器を必要以上に大きくする必要もなく、さらに呼吸補助具を別途用意する必要もない。【０００６】  前記管の少なくとも一部が、伸縮可能な形状であること特徴とする請求項１記載の呼吸補助具付き洗面器を提供する。これは顔や体が人により異なることを鑑みれば、呼吸補助具を使用中に、ある程度顔に自由が利くため快適に水に顔を浸し続けることができる。【０００７】  前記洗面器に、樹脂が使用されていることを特徴とする請求項２記載の呼吸補助具付き洗面器を提供する。これにより軽量かつ耐久性の優れた本体を安価で製造することができる。【０００８】  前記管に、弾性体が使用されていることを特徴とする請求項３記載の呼吸補助具付き洗面器を提供する。これにより呼吸、および管の伸縮、さらに孔と管の連結が比較的容易に行うことができる。【０００９】  前記管と孔の連結部は、水密となるようシーリングされていることを特徴とする請求項４記載の呼吸補助具付き洗面器を提供する。これにより水の量を一定に保つことができる。
【発明の効果】
【００１０】  洗面器に呼吸補助具が付いているため、当該呼吸補助具を使い継続的に水湯に顔を浸すことができる。孔に取り付けられた管が本体内部に向かって突出しているため、水が管内に浸入しても、管を伝って管外に自動で排出される。洗面器と呼吸補助具が一体になっているため、呼吸補助具を取り回す煩わしさがなくなり、また洗面器を必要以上に大きくする必要もない。呼吸補助具を別途用意する必要もない。顔や体が人によって異なることを鑑みれば、管が伸縮するため呼吸補助具を使用中に、ある程度顔に自由が利き快適に水に顔を浸し続けることができる。洗面器本体は樹脂を成形するため、軽量かつ耐久性の優れた本体を比較的安価で製造することができる。管に弾性体が使用されていることで、呼吸、管の伸縮、さらに孔と管の連結部のシーリングが比較的容易に行うことができる。連結部が水密にシーリングされているため、水の量を一定に保つことができる。
【図面の簡単な説明】
【００１１】
【図１】本発明の実施例１に係る呼吸補助具付き洗面器の断面図である。
【図２】管と孔の連結部の拡大断面図である。
【図３】管の変形後の断面図である。
【図４】本発明の実施例１に係る呼吸補助具付き洗面器の上面図である。
【図５】本発明の実施例１に係る呼吸補助具付き洗面器の底面図である。
【発明を実施するための形態】
【００１２】  以下本発明を実施するための一実施形態を説明するが、本実施の形態は一例であり、これに限定されるものではない。
【実施例１】
【００１３】  図１において、本発明の実施例１の呼吸補助具付き洗面器は、本体１と孔２と管３とを備えている。本体１は、中央が凹んだ盆状の容器として樹脂を成形することにより形成されている。孔２は、本体１の底面１１に貫通形成された円形孔である。管３の先端部３１及び孔２は外側に向かって広がったフランジが形成されている。管３は、孔のフランジ２０に、本体１の内側に向かって突出して形成されている。管３は弾性体により円筒状に形成され、基端部３０が孔のフランジ２０に連結されている。
【実施例２】
【００１４】  実施例１の管３は、水平面に対して垂直である面３３と斜面３４が、前記両面よりも薄く成形された溝３５を境に交互にかつ同方向に配置されており、両面は各々同形である。また前記両面は各々管先端部３１から管基端部３０まで径が一定に拡大している。これにより管先端部３１から管基端部３０に外圧がかかり垂直面３３が下部に押し込まれると、斜面両端の溝３５が歪曲し斜面３４が裏返り、図３の状態になることで管３の伸縮を可能としているが、これは蛇腹に代替可能である。
【実施例３】
【００１５】  実施例１記載の孔２の場所は、本体底面１１であり、これは水を張っている本体１に顔を浸したときに、口と最も接近する面が底面１１であることから、前記底面１１に孔２を設けることにより相対的に呼吸補助具である管の形状の幅が広がり好ましくはあるが、例えば管先端部３１から水が浸入したとしても、当該水が管を伝って自動で管外に排水される程度の傾斜を確保できるのであれば本体側面１２に設けることができる。その場合管先端部３１は本体底面１１とは逆方面に向くようにする。
【実施例４】
【００１６】  実施例１記載の本体側面１２は、外側に向かって広がっており、これは顔の形状と通じ効率的に水を溜める事ができるため好ましくはあるが、例えば本体底面１１に対して垂直である面に代替可能である。
【実施例５】
【００１７】  実施例１、４記載の洗面器本体１は、丸盆状であり、これは円形状である顔の構造上好ましくはあるが、例えば角盆状に代替可能である。
【実施例６】
【００１８】  実施例１、３記載の孔２の形状は、円形であり、これは本体底面１１の形状を考慮し追随したものであるが、例えば多角形に代替可能である。
【実施例７】
【００１９】  実施例１、３、６記載の管３の形状は、円筒状であり、これは管先端部３１から管基端部３０にかけて外圧がかかった場合、溝３５に満遍なく負荷がかかるため好ましいが、角筒状に代替可能である。
【実施例８】
【００２０】  実施例１、３、６記載の管先端部３１は、外側に向かって広がった管のフランジ３２を備えており、これは管のフランジ３２を含む管先端部３１を口に含んだ際に、唇が管のフランジ３２に覆い被さる状態になり、口と接触する管先端部３１の面積が増えることで水密性が高まるため好ましくはあるが、例えば管のフランジ３２を備えていない筒に代替可能である。
【実施例９】
【００２１】  実施例１のシーリングは、孔のフランジ２０に、コの字状に形成された管基端部３０をはめ込むことによっており、これは容易に連結できる割に効果が高いため好ましくはあるが、例えば被せに代替可能である。この場合孔のフランジ２０は円筒または角筒状に形成され、これと連結する管基端部３０も同形状に形成される。
【実施例１０】
【００２２】  実施例１、９のシーリングは、例えばネジ接合に代替可能である。この場合孔のフランジ２２は、雄ねじ、または雌ねじ状に形成され、これと連結する管基端部３０は、前記孔のフランジ２０とは異なる雄ねじ、または雌ねじ状に形成される。
【実施例１１】
【００２３】  実施例１、９、１０記載のシーリングは、例えば溶着、スナップフィット、または接着剤の使用に代替可能である。
【実施例１２】
【００２４】  実施例２記載の管の面は、垂直面３３および斜面３４であるが、これを垂直面と斜面を混合した面に代替可能である。
【実施例１３】
【００２５】実施例１、３、４記載の洗面器側面１２は、フランジを有していないが、フランジを備えた洗面器側面に代替可能である。
【符号の説明】
【００２４】１    洗面器本体
２    孔
３    管本体
１１  洗面器底面
１２  洗面器側面
２０  孔のフランジ
３０  管の基端部
３１  管の先端部
３２  管のフランジ
３３  管の垂直面
３４  管の斜面
３５  管の溝
【図１】
2017086846.tif 000003
【図２】
2017086846.tif 000004
【図３】
2017086846.tif 000005
【図４】
2017086846.tif 000006
【図５】
2017086846.tif 000007